(57)【特許請求の範囲】
【請求項１】
接地部と該接地部よりも内側に凹んだ凹み部が形成された底面を有する容器に、ＩＣチップ及びアンテナ部からなるモジュール部が基材に形成されたＩＣタグと前記ＩＣタグを挟持した上下２層のシートと前記上層のシートの上面に設けられた粘着層とを有するタックラベルが具備されており、
前記上層のシートが、発泡樹脂シート、軟質な熱可塑性樹脂シート又は不織布から選ばれる緩衝性シートであり、
前記上層のシートと前記ＩＣタグが同形同大であり、
前記下層のシートの下面と前記容器の接地部を含む面との間に隙間を有した状態で、前記タックラベルが、粘着層を介して前記容器の凹み部に貼付され且つ前記凹み部によって形成される底面の空間部内に収められていることを特徴とするＩＣタグ付き容器。
【請求項２】
前記下層のシートが、発泡樹脂シート、軟質な熱可塑性樹脂シート又は不織布から選ばれる緩衝性シートである請求項１記載のＩＣタグ付き容器。
【請求項３】
請求項１又は２に記載のＩＣタグ付き容器の複数個が、上下に積み重ねられておらず、それぞれ底面を下にして、包材にて包装されていることを特徴とするＩＣタグ付き包装体。
【発明の詳細な説明】
【技術分野】
【０００１】
本発明は、ＩＣタグが具備されたＩＣタグ付き容器、及び該容器の複数個が包装されてなるＩＣタグ付き包装体に関する。
【背景技術】
【０００２】
近年のＩＴ技術の著しい進歩によって、超小型のＩＣチップを備えるＩＣタグが、バーコードなどに代わって商品の製造、品質、流通などの管理に利用されるようになってきている。例えば、このＩＣタグに商品情報（品名、ロット番号、製造日、品質保持期限等）や入出荷情報（出荷日、入庫日等）などを適宜記録することにより、商品の製造元から流通業者を経て消費者に至るまでの流通履歴を含めた商品管理を、個々の商品毎に行うことが可能となる。
このようなＩＣタグを商品に具備させる手段として、例えば、特開２００４−２０７７１には、筒状のラベル基材面に、導電性インキからなるアンテナパターンが印刷され、このアンテナパターンに電気的に導通するようにＩＣタグが貼着されているＩＣタグ付きボトル用ラベルを、容器胴部に装着することが開示されている。
また、このような筒状ラベル以外に、ＩＣタグを備えるタックラベルを、容器胴部に貼付する手段も考えられる。
【０００３】
しかしながら、上記のように、容器胴部にＩＣタグを装着すると、製造ライン上や保管運搬時などに於いて、容器胴部が互いに擦れたり衝突することによってＩＣタグが損傷する虞がある。さらに、この容器が飲料容器の場合には、充填された飲料に電波が吸収され易く、ＩＣタグの読み取り感度などが低下する。また、胴部が円筒状であると、該容器の胴部形状に沿ってラベルが湾曲し、それに伴いＩＣタグが変形する。このようにＩＣタグが変形すると、リーダ装置などの無線通信装置との通信が悪くなり、ＩＣタグの情報の読み取り感度などが低下する。
【０００４】
また、一般に、多くの商品は、複数個を纏めて段ボール箱や厚紙箱などの包材に詰められた包装体の形態で、工場から出荷され、保管・運搬などの流通に供している。
しかしながら、ＩＣタグが容器胴部に具備されている場合、包装体の状態で、個々の容器に具備されたそれぞれのＩＣタグ情報を正確に読み取ることなどができないという問題点がある。
すなわち、上記のように胴部にＩＣタグが具備された容器の複数個を纏め、包材にて包装した場合、隣合う容器のＩＣタグ同士が向かい合うことがあり、該対面したＩＣタグが干渉し合うため、無線通信装置によって各容器のＩＣタグ情報を正確に読み取ったり、或いは各商品のＩＣタグに情報を書き込むことができない。また、飲料などの液体が収納されている場合、液体に電波が吸収され易いので、同様にＩＣタグ情報の読み取り精度などが低下する。
【０００５】
この点、包材で包装する際に、ＩＣタグが対向しないように包装すれば、隣合う容器や該容器に具備されたＩＣタグの干渉を抑制することも可能となるが、向きを調整して包装することは包装作業の煩雑化を招き、又、容器の形状によっては、向き調整して包装しても運搬中にその向きが変わることがある。さらに、例えば、１２個の容器を３列×４行に並べて包装する場合などのように３列以上に並べて包装された包装体にあっては、中央部分に位置する容器の周囲には、他の容器が存在するので、少なくとも中央部分に位置する容器のＩＣタグ情報を正確に読み取ることなどができない。
【先行技術文献】
【特許文献】
【０００６】
【特許文献１】特開２００４−２０７７１公報
【発明の概要】
【発明が解決しようとする課題】
【０００７】
そこで、本発明は、ＩＣタグが損傷しないように設けられ、該タグ情報を確実に読み取る又は書き込むことができるＩＣタグ付き容器を提供することを課題とする。
また、本発明は、複数個の容器が包装された包装体に於いて、それぞれの容器に具備されたＩＣタグの情報を個々に確実に読み取る又は書き込むことができるＩＣタグ付き包装体を提供することを課題とする。
【課題を解決するための手段】
【０００８】
上記課題を解決するための第１の手段として、本発明は、接地部と接地部よりも内側に凹んだ凹み部が形成された底面を有する容器に、ＩＣチップ及びアンテナ部からなるモジュール部が基材に形成されたＩＣタグと前記ＩＣタグを挟持した上下２層のシートと前記上層のシートの上面に設けられた粘着層とを有するタックラベルが具備されており、前記上層のシートが、発泡樹脂シート、軟質な熱可塑性樹脂シート又は不織布から選ばれる緩衝性シートであり、前記上層のシートと前記ＩＣタグが同形同大であり、前記下層のシートの下面と前記容器の接地部を含む面との間に隙間を有した状態で、前記タックラベルが、粘着層を介して前記容器の凹み部に貼付され且つ前記凹み部によって形成される底面の空間部内に収められているＩＣタグ付き容器を提供する。
【０００９】
かかるＩＣタグ付き容器は、ＩＣタグが、凹み部によって形成される底面の空間部内に収められているので、接地部にて容器を自立させて搬送保管する際、ＩＣタグが損傷することを防止できる。
【００１０】
さらに、本発明の好ましい態様は、前記下層のシートが、発泡樹脂シート、軟質な熱可塑性樹脂シート又は不織布から選ばれる緩衝性シートである上記ＩＣタグ付き容器である。
【００１１】
【００１２】
【００１３】
さらに、本発明の第２の手段は、上記ＩＣタグ付き容器の複数個が、上下に積み重ねられておらず、それぞれ底面を下にして、包材にて包装されているＩＣタグ付き包装体を提供する。
【００１４】
上記ＩＣタグ付き包装体は、上記底面の空間部内にＩＣタグが収められている容器の複数個が、それぞれ底面を下にした状態で、包材によって包装されているので、包装体の底面側には、各容器に具備されたＩＣタグが、それぞれ平面上に並んだ状態となっている。
従って、複数個の容器を包装する際、隣合う容器の向き調整などを行わなくても、個々の容器に具備されたＩＣタグは、隣合う容器や該容器に具備されたＩＣタグによって干渉を受けず、このＩＣタグ付き包装体の底面側から無線通信装置を作用させることにより、個々の容器のＩＣタグ情報をそれぞれ確実に読み取る又はＩＣタグに情報を書き込むことができる。
【発明の効果】
【００１５】
本発明のＩＣタグ付き容器は、搬送保管する際、ＩＣタグが損傷することを防止できる。従って、ＩＣタグ付き容器は、無線通信装置を用いてＩＣタグの情報を確実に読み取る又はＩＣタグに情報を確実に書き込むことができる。
また、本発明のＩＣタグ付き包装体によれば、複数の容器を包装した状態で、各容器に具備されたＩＣタグの情報をそれぞれ確実に読み取る又はＩＣタグに情報を書き込むことができる。従って、包装体を開封して容器を取り出さなくても、ＩＣタグを利用して、商品毎の商品管理を確実に行うことができる。
【図面の簡単な説明】
【００１６】
【図１】（ａ）は、ＩＣタグ付き包装体の一実施形態を示す正面図、（ｂ）は、同上面図。
【図２】図１のＡ−Ａ線に於いて包材のみを切断した状態で示す断面図。
【図３】ＩＣタグ付き容器の一実施形態を示す縦断面。
【図４】（ａ）は、ＩＣタグが貼付されたタックラベルの上面図、（ｂ）は、その（ａ）のＢ−Ｂ線縦断面図。
【図５】（ａ）は、無線通信装置を用いてＩＣタグにアクセスする状態の一実施形態を示す正面図、（ｂ）は、同上面図。
【図６】ＩＣタグ付き包装体の変形例であって、その包装体のうち包材のみを切断した状態で示す縦断面図。
【図７】（ａ）、（ｂ）ともに、ＩＣタグ付き包装体の変形例であって、その包装体のうち包材のみを切断した状態で示す縦断面図。但し、軟質フィルムについては、切断面を表す斜線を入れず、単なる実線で示している。
【発明を実施するための形態】
【００１７】
以下、本発明について、図面を参照しつつ具体的に説明する。
図１及び図２に於いて、１は、容器３の底面３１にＩＣタグ２が収められたＩＣタグ付き容器４と、該容器４の複数個を纏めて外包装する包材５と、からなるＩＣタグ付き包装体を示す。
容器３は、図３に示すように、底面３１を下にして自立可能な形態とされている。
具体的には、容器３は、略円状の底面３１と、この底面３１に続く円筒状の胴部３２と、この胴部３２から次第に細くなる肩部３３と、この肩部３３の上端部に開口された円状の開口部３４と、この開口部３４を封緘するゴム栓などの蓋部３５と、から構成されている。この容器３内には、収納物として液状の医薬品が収納されている。尚、このように医薬品が収納された上記容器３は、一般にバイアル瓶と言われている。
【００１８】
容器３の底面３１は、自立させる際に載置面に接する環状の接地部３６と、該接地部３６よりも内側に凹んだ凹み部３７と、から構成されている。この凹み部３７は、中央部に平坦面が形成され、且つその周囲に次第に外側下方へ緩やかに傾斜する傾斜面が形成されており、この凹み部３７と接地部３６によって、容器３の底面３１の中央部分には、空間部３８が形成されている。
この底面３１に形成された空間部３８に、ＩＣタグ２が収められている。
【００１９】
ＩＣタグ２は、図４にも示すように、ＩＣチップ２２及びアンテナ部２３からなるモジュール部を少なくとも有し、無線通信装置（後述するように、読込み型、書込み型、又は読書き型の何れでもよい）によって非接触で、ＩＣチップ２２の電気的情報を読み込む及び電気的情報をＩＣチップ２２に書き込む、又は、ＩＣチップ２２の電気的情報を読み込む若しくは電気的情報をＩＣチップ２２に書き込むことができる公知のものを用いることができる。
ＩＣタグ２の具体的構成としては、図示したように、基材２１にＩＣチップ２２及びアンテナ部２３からなるモジュール部が形成された構成のものや、図示しないが、基材２１の上にＩＣチップ２２及びアンテナ部２３からなるモジュール部が形成され、且つこのＩＣチップ２２等の上に保護基材が更に積層された上下基材によるラミネート構造のものなどを用いることができる。
尚、このＩＣタグ２とは、一般的に、ＲＦＩＤタグ、ＲＦＩＤインレット、無線ＩＣタグ、非接触ＩＣ、非接触データキャリアなどと表現されているものも含まれる。
このＩＣタグ２は、空間部３８内に収まる大きさのものが用いられている。
【００２０】
このＩＣタグ２は、ＩＣチップ２２が設けられた面をタックラベル６に貼付し、このタックラベル６を介して容器３の底面３１に貼付されている。
具体的には、タックラベル６は、ＩＣタグ２と略同形状の大きさに形成され且つ凹み部３７内に収まるような支持板６１と、この支持板６１の上面に粘着剤を塗布してなる粘着層６２と、からなる。
【００２１】
この支持板６１は、少なくとも上下２層の積層体で構成され、この上層６３と下層６４の間にＩＣタグ２が挟持されてタックラベル６が構成されている。
このタックラベル６は、上層６３に塗布された粘着層６２を介して容器３の凹み部３７内に貼付されている。すなわち、タックラベル６は、下層６４の下面と容器３の接地部３６を含む面との間に隙間を有した状態で、粘着層６２を介して凹み部３７に貼付され、凹み部３７によって形成される空間部３８内に収められている。
【００２２】
このようにＩＣタグ２を上下２層のシートで挟み込むことにより、ＩＣタグ２を保護することができる。
【００２３】
支持板６１がＩＣタグ２と略同形状に形成されていることにより、支持板６１によって塞がれる容器３の底面３１の面積を狭くすることができる。この態様は、容器４の内部を底面３１から視認するための領域を広く確保できることから、支持板６１が発泡樹脂シートなどの非透明なシートの場合に有効である。
【００２４】
上層６３は、発泡樹脂シート、軟質な熱可塑性樹脂シート、不織布から選ばれる緩衝性のあるシートから形成されている。上層６３を緩衝性シートで構成することにより、ＩＣタグ２と容器３の底面３１の間に介在する緩衝板として機能する。例えば、このタックラベル６を容器２の凹み部３７の下面に貼付すべく、タックラベル６を押さえつけた際、該緩衝板６３が介在していることにより、ＩＣタグ２が容器３に強く押圧されて破損することを防止できる。
【００２５】
下層６４は、合成樹脂シートや紙などでもよいが、発泡樹脂シート、軟質な熱可塑性樹脂シート、不織布から選ばれる緩衝性のあるシートから形成されていることが好ましい。
このように緩衝性のあるシートを用いることにより、支持板６１はＩＣタグ２を下面から保護する緩衝板としての機能も有する。つまり、外部からタックラベル６に押圧力が加わった際に、支持板６１が変形吸収するので、ＩＣタグ２に外部からの押圧力が強く作用することを防止できる。
【００２６】
このような発泡樹脂シートとしては、例えば、ポリスチレン、ポリエチレン、ポリプロピレン、ポリウレタン、ポリエチレンテレフタレートなどの比較的軟質な熱可塑性発泡シートが例示される。この発泡樹脂シートの発泡倍率は、概ね１．５〜４０倍程度のもの、厚みは、概ね５０〜１０００μｍ程度、好ましくは１００〜３００μｍ程度のものを用いることができる。
【００２７】
また、ＩＣタグ２の支持板６１として発泡樹脂シートを用いれば、図４（ｂ）に示すように、ＩＣチップ２２を収容するための凹部６５を形成することもできる。一般に、ＩＣチップ２２は比較的厚みが厚いので、該ＩＣチップ２２を収容できる凹部６５を支持板６１に形成することにより、支持板６１に対するＩＣタグ２の収まり具合を良くすることができる。
【００２８】
かかる凹部６５を有する支持板６１は、例えば、発泡樹脂シートの一面をエンボスロールにて押圧することによって凹部６５を形成でき、この凹部６５にＩＣチップ２２が嵌り込むようにＩＣタグ２が貼付される。
【００２９】
包材５は、特に限定されず、例えば、図２に示すように、厚紙、段ボール、硬質プラスチックシートなどの比較的硬いシートを組み立てた組立箱を用いることができる。また、包材は、透明なもの又は非透明なものを用いることができる。
この包材５の底面５１に各容器４の接地部３６を載せることにより、包材５の底面５１にＩＣタグ付き容器４の底面３１を対面させた状態で、包材５内に複数のＩＣタグ付き容器４が並べられて収納されている。従って、各容器４は、上下に積み重ねられておらず、その底面３１を下にした状態で包装されている。尚、５２は、箱型の包材５の開閉蓋を示す。
包材５によって包装されるＩＣタグ付き容器４の個数は、複数個（２個以上）であれば特に限定されない。また、各容器４の並べ方も特に限定されず、１列×複数行、２列×複数行、３列×複数行などのように規則的に並べて包装してもよいし、或いは、不規則に並べて包装してもよい。図１では、１０個の容器４を２列×５行に並べ、これを包材５にて包装してＩＣタグ付き包装体１を示している。
尚、包材５によって容器４を包装する際、包材５と容器４との間、或いは隣合う容器４の間に、緩衝用のシートなどを介装してもよい。
【００３０】
次に、上記ＩＣタグ付き包装体１の製造方法及びＩＣタグ付き包装体１のＩＣタグ通信方法について説明する。
医薬品を容器３に充填し封緘した後、該医薬品に関する商品情報（品名、商品の個別的な識別番号、製造日、製造場所、品質保持期限などの所望の情報）を記録したＩＣタグ２を、タックラベル６を介して容器３の凹み部３７内に収まるように貼付する。
このＩＣタグ付き容器４の複数個を、接地部３６を包材５の底面５１上に載置して自立させた状態で箱状の包材５に詰め込み、該包材５の開閉蓋５２を封緘することによって、ＩＣタグ付き包装体１が得られる。
尚、ＩＣタグ２への商品情報の記録は、容器３に貼付する前に行わず、包装体１の製造後にＩＣタグ２へ情報を書き込み可能な書込み型又は読書き型の無線通信装置を用いて行うこともできる。
【００３１】
このＩＣタグ付き包装体１は、搬送ラインなどで搬送され、倉庫に保管、或いは製造元から出荷され、流通に供される。そして、搬送ラインなどの所定箇所に於いて、無線通信装置を用いて、包装体１の状態で個々の容器４のＩＣタグ２との通信が行われる。
例えば、この搬送途中に於いて、図５に示すように、コンベア１１の間に無線通信装置１０を配置し、該コンベア１１で搬送される包装体１の底面を無線通信装置１０上に通過させている間に、該無線通信装置１０から電波が送られ、個々の商品３に具備されたＩＣタグ２と通信することで、ＩＣタグ２に記録された情報をそれぞれ読み取る及びＩＣタグ２に情報をそれぞれ書き込む、又は、ＩＣタグ２に記録された情報をそれぞれ読み取る若しくはＩＣタグ２に情報をそれぞれ書き込むことができる。
また、無線通信装置１０を、包装体１の搬送途中に配置してＩＣタグ２と通信する態様に限られず、所望の場所で、包装体１を無線通信装置１０の上に載せる又は通過させることにより、ＩＣタグ２と通信することもできる。
【００３２】
ここで、無線通信装置１０は、ＩＣタグ２と無線（非接触）によってアクセスできる装置であって、ＩＣタグ２の情報を読み込む読込み型、無線でＩＣタグ２に情報を記録する書込み型、又は該読み込みと書き込みの双方を行える読書き型、の何れかの型を用いることができる。
読込み型の無線通信装置１０は、ＩＣタグ２に対しては、その記録情報を読み込む機能を有する。かかる読込み型の無線通信装置１０を用いる場合、例えば、容器４毎に具備されたＩＣタグ２にそれぞれの識別番号（ＩＤ番号）が記録され、且つ該識別番号に対応した商品情報が別途データベース化されたシステムを構築することにより（例えば、別に設置したホストコンピュータに商品情報が記録更新され、且つインターネットなどの通信網を通じてアクセスできるデータベースなど）、読込み型の無線通信装置１０で読み込んだＩＣタグ情報（識別番号等）を元にしてこのデータベースと照合し、個々の容器４についての商品情報を確認でき、商品管理を行うことができる。
また、書込み型の無線通信装置１０は、ＩＣタグ２に対しては、所定情報を書き込む機能を有する。かかる書込み型の無線通信装置１０を用いる場合、流通過程に於ける各箇所で、所定の商品情報を追記更新することにより、容器４毎のＩＣタグ２に重畳的に商品情報を蓄積できる。
これら読込み型、書込み型、読書き型の無線通信装置１０は、各流通箇所に於いて適宜選択して使用でき、例えば、製造元から販売業者又は消費者に至るまで、同じ型の無線通信装置（例えば、読込み型や読書き型など）を用いたり、或いは、製造元では書込み型の無線通信装置、問屋などの流通業者では読書き型、販売業者又は消費者では読込み型をそれぞれ用いるなどのように、流通箇所で異なる型の無線通信装置１０を用いることもできる。
【００３３】
また、無線通信装置１０は、包装体１に包装された商品３のＩＣタグ２に個々にアクセスするものでも良いし、或いは、複数個を纏めて一括してアクセスする方式のものでもよい。
【００３４】
上記包装体１は、底面３１にＩＣタグ２が備えられた容器４の複数個が、それぞれ底面３１を下にした状態で包材５によって包装された構成からなるので、該包装体１の底面側には、各容器３のＩＣタグ２が、恰も包材５の底面５１上に並べられたような状態となっている。従って、同一包装されている隣合う容器４や該容器４に具備されたＩＣタグ２の干渉を受けず、各容器４に具備されたＩＣタグ２の情報をそれぞれ確実に読み取る又は各容器４に具備されたＩＣタグ２に情報を記録することができる。特に、収納物が液状の場合、従来のようにＩＣタグを容器胴部に装着していると電波が吸収されて読み取り感度などが低下するが、本発明の包装体１によれば、無線通信装置１０と各容器４のＩＣタグ２の間に、液状の収納物が介在しないので、読み取り感度などが低下する虞もない。
よって、包装体１を開封して容器４を取り出さなくても、包装した状態のまま、容器毎にＩＣタグ２を介してその商品管理を行うことができる。
尚、このようにＩＣタグ２と無線通信装置１０によって情報を通信するので、バーコードなどの光学的な手段に比してより確実に情報を読み込むことができ、又、包材５として非透明なものを用いることもできる。
【００３５】
さらに、ＩＣタグ２が、任意に読み書き可能なＩＣチップ２２を備えている場合には、書込み型又は読書き型の無線通信装置１０によって、所望の情報を追加又は更新記録することができる。
従って、例えば、製造元から流通業者を経て消費者に至るまでの各流通拠点で、上記包装体１に無線通信装置１０を作用させ、各容器４のＩＣタグ２のそれぞれに、入出荷情報（出荷日、入庫日等）や検品情報などの所望の情報を追加又は更新記録していくことにより、極めて正確な流通履歴が記録されたＩＣタグ２を個々の容器毎に得ることができる。
このＩＣタグ２の記録情報に従えば、ＩＣタグ付き容器４の追跡管理を容易に行えるので、医薬品の流通管理システムとして特に好適に利用できる。
【００３６】
また、ＩＣタグ２は、容器３の底面３１のうち凹み部３７によって形成される空間部３８内に収められているので、ＩＣタグ付き容器４を接地部３６にて自立させて搬送保管する際、コンベアなどにＩＣタグ２が接触し損傷することを防止できる。
加えて、ＩＣタグ付き容器４が転倒しても、ＩＣチップ２２が床面などに当たって破損する虞もない。
また、ＩＣタグ２は、凹み部３７の略中央部分（略中心部分）に配設されているので、包装体１とした際、隣合う容器４のＩＣタグ２同士が接近することを防止できる。従って、包装体１に於いて、隣合うＩＣタグ２の干渉を確実に防止することができる。
【００３７】
さらに、ＩＣタグ２は、タックラベル６に剥離可能な粘着剤を介して貼付した場合には、タックラベル６から剥離することができる。従って、例えば、病院で、ＩＣタグ付き容器４に収納された医薬品を使用した後、タックラベル６を容器３から引き剥がし、且つ該タックラベル６からＩＣタグ２を引き剥がした後、このＩＣタグ２をカルテなどに添付して保存しておくことができる。このようにＩＣタグ２をカルテなどの患者に関連した資料と共に保存しておくことで、後日、患者に投与した医薬品の追跡調査を簡単に行うことができる。
【００３８】
次に、本発明の変形例を示す。但し、下記変形例の説明では、上記各実施形態と異なる部分について主として説明し、同様の構成についてはその説明を省略し、用語及び図番を援用することがある。
【００３９】
上記実施形態では、容器３としてバイアル瓶を例示しているが、底面３１に凹み部３７が形成されている容器３であれば特に限定されず、例えば、胴部よりも小径の注出口が形成されたボトル型、底面から上面まで略同寸法の円筒又は四角筒などの筒状型、底面から上面に向かって拡がるカップ型、瓢箪型、樽型、壺型、胴部に窪みを有するなどの異形型などの各種形状の成形容器の他、厚紙や合成樹脂シートなどを箱型に組み立てた組立容器などでもよい。
また、容器３の材質についても特に限定されず、透明なポリエチレンテレフタレートなどの合成樹脂製、ガラス製、金属製、陶器製、紙製などでもよい。但し、金属製容器を用いる場合には、磁束の異常反射などが発生して電磁誘導に影響を及ぼして無線通信装置１０による読み取り感度などが低下する虞があるので、金属面でも正常に使用可能なＩＣタグ２を用いることが好ましい。
さらに、容器３に収納される収納物としては液状の医薬品に限られず、例えば、顆粒状、錠剤状、粉状、ゼリー状、固形状などの性状の医薬品でもよいし、又、医薬品に限られず、液状、顆粒状、錠剤状、粉状、ゼリー状、固形状などの性状の食品、飲料、化粧品、サニタリー品などでもよく、或いは、玩具などでもよい。
【００４０】
さらに、上記実施形態では、ＩＣタグ付き容器４は、包材５に直接包装されているが、例えば、図６に示すように、ＩＣタグ付き容器４を更に外装材７にて個包装し、これを包材５にて包装することにより包装体１を構成してもよい。外装材７としては、図示したような厚紙や合成樹脂シートなどの展開シートを組み立てた組立小箱や樹脂成形箱などの箱体の他、特に図示しないが、外装材７として熱収縮性フィルムを用い、容器４を個別にオーバーラップしてもよい。
外装材７で個包装されたＩＣタグ付き容器４についても同様に、それぞれ底面３１を下にした状態で、包材５によって複数個が包装される。
【００４１】
さらに、上記実施形態では、包材５は、厚紙などを組み立てた組立箱が用いられているが、包材５は組立箱に限られず、例えば、容体と蓋体からなる合成樹脂ケースなどの樹脂成形品を用いることもできる。また、図７（ａ）に示すように、包材５として、熱収縮性フィルムなどの軟質フィルム５４を用い、複数個の容器４を纏めてオーバーラップすることによりＩＣタグ付き包装体１を構成することもできる。さらに、同図（ｂ）に示すように、包装する各容器４の底面３１に対面するように厚紙や合成樹脂シートなどの板材５５を添付し且つ全体を軟質フィルム５４で包装してもよい。また、包材５として、結束ベルトを用いることもできる。包材５は、複数個の商品４が離れないように一体化できるものであれば、全体を被包して一体化する態様、複数個の容器４の一部分が露出した状態で一体化する態様の何れでもよい。もっとも、商品４の底面３１を保護できることから、包材５としては、厚紙などのシートを組み立てた組立箱や合成樹脂ケースなどの樹脂成形品、図７（ｂ）に示すような板材５５を添付したものが好ましい。
なお、本願発明のＩＣタグ付き容器４は、容器３の凹み部３７に、ＩＣタグ２とＩＣタグ２を挟持した上下２層のシート６３，６４と上層のシート６３の上面に設けられた粘着層とを有するタックラベル６が具備されており、その上層のシート６３として、発泡樹脂シート、軟質な熱可塑性樹脂シート又は不織布から選ばれる緩衝性シートが用いられているものである。
【符号の説明】
【００４２】
１…ＩＣタグ付き包装体、２…ＩＣタグ、２１…基材、２２…ＩＣチップ、２３…アンテナ部、３…容器、３１…容器の底面、３６…容器の接地部、３７…容器の凹み部、３８…容器の空間部、４…ＩＣタグ付き容器、５…包材、５１…包材の底面、６…タックラベル、６１…支持板、６２…粘着層、６３…上層、６４…下層、１０…無線通信装置
【図１】
0004913894.tif 000002
【図２】
0004913894.tif 000003
【図３】
0004913894.tif 000004
【図４】
0004913894.tif 000005
【図５】
0004913894.tif 000006
【図６】
0004913894.tif 000007
【図７】
0004913894.tif 000008